(57)【要約】【課題】従来のオムツは大きく分けてテープタイプとパンツタイプがあるが、パンツタイプの着用においてはズボンを脱がなくてはならない手間があった。ズボンを脱がずに着脱できるオムツについては、従来のものだと胴回りを接合するまでは手で押さえが必要であり、ウエストで固定できるタイプであっても接合部が着用者の股付近のため操作時の着用者への配慮や介助者の手指汚染が心配される。【解決手段】本発明のパンツ型オムツは、本来のパンツタイプにあるレッグ開口部を設けず吸収体を開放状態としているため、ウエスト開口部１４が筒状に大きく開くことで、ズボンを脱がなくても脚からウエストまでオムツを引き上げ固定することができ、接合はテープタイプと同様の手段でオムツの腰回りを着地点に簡単に閉じることができるため、着用者にも介助者にも抵抗なく扱えるものである。【選択図】  図１
2020048751.tif 000002
【特許請求の範囲】
【請求項１】
伸縮性のある環状装着帯と前記環状装着帯に垂れさがるように連結された長形部材で形成された開放型をしており、前記環状装着帯上部から両脚を通し胴まで持ち上げると、前記環状装着帯がウエストを一周して固定され、前記長形部材を股下に沿って前記長形部材の連結側の反対側に折り返し、前記長形部材の先端部両サイドに外横方向に広がる羽状帯が反対面を覆って前記環状装着帯の両側腹部に接合することでパンツ型を形成することを特徴とするパンツ型使い捨てオムツ。
【請求項２】
請求項１のパンツ型使い捨てオムツは、前記環状装着帯が横方向に伸縮することで着用者の胴にフィットし、前記環状装着帯のみで身体に固定できことを特徴とするパンツ型使い捨てオムツ。
【請求項３】
請求項１または２に記載のパンツ型使い捨てオムツは、前記長形部材の先端部両サイドに続く羽の延長端に装備した接合部材が前記環状装着帯に接合する構造で、前記環状装着帯の外周素材が前記接合部材と係合関係にあることを特徴とするパンツ型使い捨てオムツ。
【請求項４】
請求項３に記載のパンツ型使い捨てオムツは、前記羽状帯が横方向に伸縮することで前記接合部材が前記環状装着帯へ接合する位置を自由に決められることを特徴とするパンツ型使い捨てオムツ。
【請求項５】
請求項３または４のパンツ型使い捨てオムツは、前記環状装着帯の腰縦幅が前記接合部材５の縦幅と等しいかそれより大きいことを特徴とするパンツ型使い捨てオムツ。
【請求項６】
請求項１〜５のパンツ型使い捨てオムツは、前記長形部材の垂れ下がり部が前後を問わず着用することができるパンツ型使い捨てオムツ。
【発明の詳細な説明】
【技術分野】
【０００１】
本発明はパンツ型使い捨てオムツに関するもので、開閉式（以下テープタイプという）とパンツ形状（以下パンツタイプという）両用の特徴を兼ね、乳幼児用、成人用を問わず使用できる。
【背景技術】
【０００２】
テープタイプの使い捨てオムツは、背部側から横方向に伸びた羽状の装着帯と股下方向に伸びた吸収体を前腹部で重なり合わせ、羽状の装着帯の両端に付いた接合部材を装着者の胴回りにフィットする位置で腹部を覆う吸収体の外面側に留めるが、オムツを閉じた状態からウエスト部が大きく伸縮することはなく、装着後にパンツのような上げ下げを目的とせず、対象者の多くは寝姿勢で着用するのが「テープタイプ」である。
【０００３】
パンツタイプの使い捨てオムツは、環状装着帯と股下の吸収体が一体であり、環状装着帯の前後に連結された吸収帯を中央に左右１対のレッグ開口部を形成したもので、下着のような形状に包み込むフィット感があり、四つ這いやつかまり立ち、歩きはじめた乳幼児が寝姿勢で装着するテープタイプの着用が困難となった際に、乳幼児を寝かせずに着用できるという利点を持つ。また、成人においても立位や座位から着用でき、下着感覚での使用が受け入れやすく需要が高い。使用後は両サイドの切り離し誘導線に沿ってパンツを破断し、ズボンを脱ぐ必要なく容易に取り外すことができるが、一度破断すると再び装着することはできないのが「パンツタイプ」である。
【０００４】
特殊な使い捨てオムツに「パンツ型及び展開型両用（以下両用タイプという）」の使い捨てオムツがある。これは通常のパンツタイプと同様にズボンを脱いでから両用タイプを履いて使用することもできるが、両用タイプを履いた状態から両側面の切り離し誘導線を破断し、切り離し部に設けられた対のファスニングテープを接合することで再びパンツの形状を成し、繰り返し付け外しが可能である。使用後はファスニングテープを外すことで身体から簡単に取り外しが可能で、パンツ型同様ズボンを脱がずに外すことができる。前記の使用法によれば、予め切り離し誘導線を破断しオムツを展開しておき、ズボンを脱がずに途中まで降ろした状態でオムツを腰元に当て、両側の対のファスニングテープを接合してオムツを閉じ、再びパンツの形状とすることでズボンの着脱なく装着もできる。（特許文献１、２、非特許文献１参照）
【０００５】
その他の特殊な使い捨てオムツに「パンツ型オムツ」がある。この特許文献によるパンツ型オムツは股部分のみを開閉可能にしているため、股部分を開けるとウエスト開口部が筒状に大きく開き、オムツに両脚を通し胴まで引き上げ、再び股部分を閉じてパンツ形状にできる。ズボンは膝あたりまでの上げ下げでオムツ交換ができるためズボンを脱ぐ必要がない。オムツ使用後はパンツ型、両用型と同様に両側面の切り離し誘導線を破断し取り外せるようになっている。（特許文献３参照）
【先行技術文献】
【特許文献】
【０００６】
【特許文献１】特許第5241457号公報
【特許文献２】特許第4284216号公報
【特許文献３】特許第4116952号公報
【非特許文献】
【０００７】
【非特許文献１】ユニ・チャーム  ライフリーズボンを脱がずに交換リハビリパンツwww.unicharm.co.jp/lifree/adult/products/b06/index.html
【発明の概要】
【発明が解決しようとする課題】
【０００８】
従来のオムツにはテープタイプとパンツタイプ、両用タイプが存在するが、テープタイプは寝たまま着用しやすく身動きの少ない乳児、床上介護を必要とする成人が主な対象であるのに対し、動いても漏れにくくフィット感があるパンツタイプは四つ這いやつかまり立ち、一人歩きができる乳幼児またはトイレで排泄できる成人が対象となる。両用タイプについては成人に限られ、座れることが条件となるケースもあり、対象の月齢や生活動作によっておむつを使い分けるため、それぞれの優れた機能を併用することができない。
【０００９】
テープタイプのオムツの着用は装着者が寝姿勢であるケースが想定され、大きく展開するため寝たまま着用しやすいが、トイレに行く習慣がある者にとっては、胴回りにパンツタイプのような伸縮性がないため、着用後はオムツの上げ下げが困難でありテープを外す必要がある。また、立った姿勢からの装着はオムツが落ちないように押さえながらの着用を強いられる。
【００１０】
パンツタイプの課題は着用する際にズボンの着脱を要することである。特に動き回る子供や立位が不安定な成人のオムツ替えではパンツ交換の前後にズボンを脱ぎ、オムツ着用後に再びズボンを履くという手間があり、時にはズボンと一緒に靴下も脱げてしまうわずらわしさがある。外出先でのパンツ交換はズボンに加え靴を脱ぐシチュエーションもある。
【００１１】
このような作業は着用者が体の小さな乳幼児や、更衣に介助を要する状態にあった場合、介助者は一定の時間と頻度でかがんだ姿勢を強いられるため、日常的に繰り返されることによる疲労やイライラなどの肉体的かつ精神的な負担へとつながっていた。
【００１２】
乳幼児用のオムツにおいては、オムツを購入する際パッケージや大きさが類似しており、テープタイプとパンツタイプのオムツを間違えて購入してしまう事がある。テープタイプを使用中の乳幼児にパンツタイプを購入しても、いずれ使用することができるが、上記に述べたようにパンツタイプを使用している乳幼児に対してテープタイプを使用することは困難である。
【００１３】
図７、８に示す両用タイプはズボンを脱がずにパンツ交換ができるというメリットがありながら、成人用限定である。両用タイプのようにズボンの着脱を必要としないオムツで乳幼児用があれば、乳幼児のオムツ替えにおいて上記に述べたズボン着脱の手間が解消されるが、仮に乳幼児用があったとして、両用タイプの形状を乳幼児に使用した場合を想定すると、介助者が両サイドのテープを接合するまでパンツを押さえてないと落ちてしまうため、動き回る子供には適さない。
【００１４】
図９に示す特許文献３のパンツ型オムツは、着用者のウエストでオムツを固定できるため、立位の着用でもテープタイプや両用タイプのように展開したオムツを押さえている必要がなく、垂設された吸収体１０４を両脚の間に通し、股部前面に接合することでパンツの形状になるが、吸収体を前身頃の外側片１００と前身頃の肌側片１０２の間に挟み込む構造から接合が複雑であり、股部前面で重ね合わせるように接合するため、手順を間違えると係合が成立せず接合できない。また接合部がずれるたり、肌側片１０２が前身頃内に折り込まれてしまった場合、硬い接合部材が肌に当たり刺激する懸念がある。
【００１５】
パンツ型オムツに共通する接合部位であるが、図９に示すように股前面部に位置するため、第三者の介助による開閉は注意深い操作と着用者の羞恥心への配慮が必要である。
【００１６】
パンツタイプやパンツ型オムツは使用中に尿漏れや多少の排泄があっても着用を続けるケースが考えられるが、図９のパンツ型オムツは接合部が股の前面に位置するため、接合部を外そうとする際、オムツが汚れていると吸収体の肌面に手が触れる可能性がるため不衛生である。また、トイレでの排泄を想定して股部の接合を外した際、図９-aのように垂設の吸収体は排泄の間、肌面が外側に露出した状態で二つ折りになり固定される設計となっているため、衛生面が心配される。
【課題を解決するための手段】
【００１７】
本発明は柔らかく伸縮性のある部材の環状装着帯が腰回りを一周し、着用者の胴にフィットするもので、環状装着帯のみで身体に固定できるのが特徴である。
【００１８】
環状装着帯の背部側に連結された長形部材が開放状態で垂設され、股下に沿って腹部側へと折り返し、前腹部を覆って環状装着帯に接合することでパンツの形状を作ることが特徴である。
【００１９】
腹部面は長形部材の先端部両サイドに外横方向に伸縮する羽状帯があり、両羽に装備した接合部材は羽の伸縮により環状装着帯との接合位置を調整できる。
【００２０】
左右の羽を接合する環状装着帯の素材は、羽に装備された接合部材と係合の素材からなる。
【００２１】
環状装着帯の腰縦幅は接合部材の縦幅と同じ、もしくは少し大きく、接合部材を接合した際、環状装着帯から接合部材がはみ出ない。
【００２２】
前後を問わず着用することができる。
【発明の効果】
【００２３】
本発明はテープタイプの特徴である開閉による胴回りの調整、パンツタイプの特徴である下着のようなフィット感と切り離し誘導線によるパンツの取り外し、両用タイプ、パンツ型オムツの特徴であるズボンの着脱なくパンツタイプのオムツを装着できるという、いずれの特徴も兼ね備えている。
【００２４】
本発明はオムツ交換において環状装着帯に両足を通しパンツ本体を胴まで上げると環状装着帯がウエストに固定されパンツがずり落ちるがことなく、ズボンは膝あたりまで下ろすだけでパンツの交換ができるのが最大の特徴である。
【００２５】
本発明のパンツ型使い捨てオムツは、ズボンを脱ぐ手間を必要としないため、靴下が脱げる心配もなく、外出先や施設内で靴を履いているシチュエーションでも、ウエスト開口部を大きく開いて靴が触れないように足を通すことで靴の脱ぎ履きなく短時間でのパンツ交換が可能である。
【００２６】
伸縮性のある環状装着帯を大きく広げれば、寝姿勢でも、動き回る乳幼児でもウエスト開口部に脚からウエストまで通すことに困難はなく、ウエストまで履かせればどんなに動いてもパンツが落ちることがない。環状装着帯の装着前または後で、ズボンを膝あたりまで降ろし使用済みパンツを外した後、四つ這いや立ち姿勢、動きながらでもあらゆる態勢で羽を接合しパンツの形状にできるので、パンツタイプのようにズボンを脱ぐ動作も、二つのレッグ開口部にそれぞれの脚を通して持ち上げるという動作も必要としない。
【００２７】
羽の接合方法はテープタイプと共通しており、羽に装備された接合部材と環状装着帯が係合関係を成し、環状装着帯に接合部材が貼り付くことで接合が完了するため、テープタイプと同様の装着方法であり簡易である。
【００２８】
本パンツ型使い捨てオムツは、テープタイプを使用中の乳幼児、パンツタイプを使用中の乳幼児のどちらにも利用できるため、間違えて購入して無駄にしてしまうということがない。
【００２９】
本パンツ型使い捨てオムツを成人が使用した場合、環状装着帯に両脚を通すだけでパンツがウエストに固定されるため、オムツを閉じる前の状態でもオムツを押さえる必要がなく、着用時の姿勢に制限がない。
【００３０】
パンツ型使い捨てオムツを着用しながらトイレでの排泄も行う場合、通常のパンツと同様に伸縮する環状装着帯をズボンと一緒に下しての排泄が可能であるが、伸縮に制限がある場合は左右の接合部材を緩めに留め直すことで調節が可能である。また、接合部材を完全に外しオムツを開いて、長形部材を再び内方向に二つ折りにすることで、吸収体の股部肌面を露出することなく衛生的にオムツを閉じることができる。二つ折りにした長形部材は体と環状装着帯の間に挟み込むことで垂れ下がりを防止でき、便器に浸かるのを防げる。
【００３１】
第三者によるベッド上やトイレでのオムツ交換介助の際も、ズボンの着脱がないので短時間で交換でき、着用者が何度も脚を上げたりする必要がないため双方の負担が軽減できる。
【００３２】
育児においては近年出産の高年齢化が顕著であり、高齢である親においては育児協力者の祖父母となる親世代もまた高齢であることは必然的であり、長期にわたる育児は特に体力的負担が大きい。また、長寿化社会の介護においても高齢者が親や配偶者の介護をする実情から、抱える介護の負担は計り知れない。
育児と介護の両面において、介助者の身体的負担を重視し、それを軽減することが援助される側の快適にもつながるものと考える。
【図面の簡単な説明】
【００３３】
【図１】本発明のパンツ型使い捨てオムツを開放した斜視図。
【図２】本発明のパンツ型使い捨てオムツを閉鎖した斜視図。
【図３】本発明のパンツ型使い捨てオムツの切り取り誘導線破断図。
【図４】本発明のパンツ型使い捨てオムツを腹部側から接合する過程図。
【図５】本発明のパンツ型使い捨てオムツを背部側から接合する過程図。
【図６】本発明のパンツ型使い捨てオムツの接合方法の一例。
【図７】従来の両用タイプの図１。（特許文献１）
【図８】従来の両用タイプの図２。（特許文献２）
【図９】（ａ）従来のパンツ型使い捨てオムツの開放縦断図。（特許文献３）        （ｂ）従来のパンツ型使い捨てオムツの閉鎖縦断図。（特許文献３）
【発明を実施するための形態】
【００３４】
以下、本発明を実施するための最良の形態について、図面を参照しながら詳細に説明する。
図１は本発明の使い捨てパンツを開放状態で斜めから見た図である。使い捨てパンツは大きく分けて環状装着帯１と長形部材２から構成されている。環状装着帯１は輪状の構造をした帯で着用者の胴回りを一周するものである。
長形部材２は吸収部材をメインに構成されたオムツの本体というべき部分である。オムツ本来の機能である吸収帯とそれに付属するギャザー等を指し、吸収体肌面６aの表層不織布は透水性で下層の吸収体まで水分を通し、吸収体非肌面６ｂの表層不織布は防水性で吸収体が吸った水分を外に逃がさない構造となっている。
長形部材２は環状装着帯後部１１の中央部分に連結され垂設されており、吸収帯の両サイドに１対の立体ギャザーと外漏れギャザーを装備している。長形部材２の先端に続く非羽状帯１３と長形部材２先端側両サイドに広がる１対の羽４、羽４の延長端に装備された接合部材５を合わせて羽状帯３とし、腹部前面を覆う非羽状帯１３と羽４は横方向の伸縮性に富んだ構造を成す。
【００３５】
装着方法は環状装着帯１を広げ、ウエスト開口部１４に脚から胴まで通し環状装着帯１がウエストに固定された後、長形部材２を股下に通し、羽状帯３で前腹部を覆い、接合部材５が環状装着帯後部１１に接合することで図２に示すレッグ開口部１５が左右に形成されパンツの形状を成す。接合部材５と環状装着帯後部１１の接合を強固にするため、図２に示す通り環状装着帯腰縦幅Ｈと接合部材縦幅ｈはほぼ同じか環状装着帯腰縦幅Ｈがやや大きく、接合面積を広くとうことが望ましい。また、接合部材５が環状装着帯腰縦幅Ｈを超え肌に接触するのを防ぐ。羽状帯３で前腹部を覆う際、伸縮性のある非羽状帯１３から羽４を着用者の胴周りに合った加減に伸ばし接合部材５が環状装着帯後部１１に接合する。接合方法は限定されるものではなく、接着剤、ファスニングテープ等の多くの手段による接合が考えられる。
【００３６】
胴回りを一周する環状装着帯１の部材は伸縮性をもたせ、広げた際に着用者の腰回りを楽に通過し、放した際はしっかりと胴にフィットするもので、開放されたオムツの状態でありながら、手で押さえることなく着用が成立する構造が絶対条件である。また、羽状帯３の非羽状帯１３、羽４にも同様に伸縮性をもたせることで胴回りの微調整が可能となり、接合部材５が環状装着帯後部１１へ接合する地点を細かく調整することができる。
【００３７】
パンツの形状となった時、環状装着帯前部１０は羽４、非羽状帯１３と二重になるため、蒸れ防止を考慮し環状装着帯前部１０の肌接触面積を可能な限り小さくする工夫として、中央へ進むにつれ緩やかに幅が狭まった形状になっている。また、生地の厚みやギャザーなどの縫製技術によって通気性が工夫されていることが望ましい。
【００３８】
図３は切り離し誘導線９を片側破断した状態を正面から見た図である。使用後環状装着帯後部１１から接合部材５を分離しパンツを開放した後、左右の切り離し誘導線９のいずれか片側を破断することで、簡単に身体から取り外すことができる構造である。
【００３９】
使用済みパンツの処理は、小さく丸めた後、接合部材５で留めることができるが、図１、２に示すオムツ処理テープ１２を装備し、テープで留める手段も可能である。
【００４０】
本発明のパンツ型使い捨てオムツは長形部材２の垂設が腹部側、背部側いずれからの着用も可能である。これまでの説明は図４の長形部材２の垂設が背部側になる着用パターンであるが、腹部側に長形部材２の垂設がある場合、図５のように腹部側から長形部材２を背部側へ折り返し、後背部を覆って接合部材５を環状装着帯後部１１へ接合するものである。
【００４１】
初期形状は左右の接合部材５が羽４の内側にたたまれた状態で、更に左右の羽４が内側に折りたたまれ、環状装着帯１から羽状帯３までの長さ中央あたりで長形部材２が内側に二つ折りとなり、環状装着帯１に羽状帯３が収納されスリムにたたまれている状態が望ましい。
【００４２】
図６は本発明のパンツ型使い捨てオムツの羽状帯３の接合方法の別の一例である。
羽４は接合部材５の手前にそれよりも大きい面状接合部材１６を装備し、環状装着帯１の切り離し誘導線９の近傍には面状接合部材１６と係合を成す面受接合部材１７が連結されている。面状接合部材１６と面受接合部材１７には伸縮性がなく、
面受接合部材１７が連結する環状装着帯１と面状接合部材１６が装備されている羽４と非羽状帯１３の伸縮性を利用し、双方を引き合わせることで胴回りを調節して面状接合部材１６と面受接合部材１７を接合した後、浮遊する係合端１８を環状装着帯後面１１の方向に折り曲げ、接合部材５を環状装着帯後面１１に接合し留めるものである。面受接合部材１７の係合部材は面状接合部材１６より柔らかい部材を用い、面状接合部材１６と面受接合部材１７の縦幅はほぼ等しいものがよい。これは接合部材の硬い素材が肌に当たるのを防ぐためで、面状接合部材１６と面受接合部材１７が係合を成した後、万が一面状接合部材１６から受接合部材１７がはみ
出した状態で接合され、接合部材が肌に触れることがあっても不快に感じないためである。
【符号の説明】
【００４３】
１  環状装着帯
２  長形部材
３  羽状帯
４  羽
５  接合部材
６a 吸収体内側
６b 吸収体外側
７  立体ギャザー
８  外漏れギャザー
９  切り離し誘導線
１０環状装着帯前面
１１環状装着帯後面
１２オムツ処理テープ
１３非羽状部
１４ウエスト開口部
１５レッグ開口部
１６面状接合部材
１７面受接合部材
１８係合端
１００肌側片
１０２肌側片
１０４吸収体
１０７前身頃
【図１】
2020048751.tif 000003
【図２】
2020048751.tif 000004
【図３】
2020048751.tif 000005
【図４】
2020048751.tif 000006
【図５】
2020048751.tif 000007
【図６】
2020048751.tif 000008
【図７】
2020048751.tif 000009
【図８】
2020048751.tif 000010
【図９】
2020048751.tif 000011